【手続補正書】
【提出日】平成29年3月1日(2017.3.1)
【手続補正１】
【補正対象書類名】明細書
【補正対象項目名】０１２３
【補正方法】変更
【補正の内容】
【０１２３】
ａ）バスバーテープであって、
ａ．導電性金属箔と、
ｂ．非導電性の熱硬化性接着剤と、を含み、
ｃ．テープは半田付け可能であり、
ｄ．テープは、結晶性シリコン光起電力材料に接着することが可能である。
ｂ）実施形態ａ）に記載のバスバーテープであって、バスバーテープにはエンボス加工が施されていない。
ｃ）実施形態ａ）又はｂ）に記載のバスバーテープであって、テープは、光起電力セルの前側上の１本又はそれより多くの銀製グリッド線に沿うことができるのに十分な可撓性を有する。
ｄ）実施形態ａ）〜ｃ）のいずれか１つに記載のバスバーテープであって、テープは、光起電力セルの前側の、１本又はそれより多くの銀製グリッド線に電気的接続をすることが可能である。
ｅ）実施形態ａ）〜ｄ）のいずれか１つに記載のバスバーテープであって、金属箔は、銅、アルミニウム、スズ、鉄、ニッケル、銀、金、鉛、亜鉛、コバルト、クロム、チタン、及びそれらの混合物から選択される１種類又はそれより多くの金属を含む。
ｆ）実施形態ａ）〜ｅ）のいずれか１つに記載のバスバーテープであって、金属箔は銅を含む。
ｇ）実施形態ａ）〜ｆ）のいずれか１つに記載のバスバーテープであって、金属箔は亜鉛を更に含む。
ｈ）実施形態ａ）〜ｇ）のいずれか１つに記載のバスバーテープであって、非導電性の接着剤は粘着性がある。
ｉ）実施形態ａ）〜ｈ）のいずれか１つに記載のバスバーテープであって、非導電性の接着剤は、エポキシ樹脂、アクリル樹脂、ポリウレタン、ポリエステル、ポリイミド、ポリアミド、シアン酸エステル、フェノール樹脂、マレイミド樹脂、フェノキシ樹脂、及びそれらの混合物のうちの少なくとも１種類を含む。
ｊ）実施形態ａ）〜ｉ）のいずれか１つに記載のバスバーテープであって、少なくとも３週間の、室温での保管寿命を有する。
ｋ）実施形態ａ）〜ｊ）のいずれか１つに記載のバスバーテープであって、バスバーテープが光起電力セルの前側に貼り付けられた場合には、光起電力セルは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる。
ｌ）実施形態ａ）〜ｋ）のいずれか１つに記載のバスバーテープであって、バスバーテープが光起電力セルの前側に貼り付けられた場合には、光起電力セルは、電気的接続の抵抗増加が５％未満で、少なくとも４００サイクルの熱サイクル（−４０℃〜９０℃）と、少なくとも２０００時間の湿熱（８５℃／８５％相対湿度テスト）と、に耐えることができる。
ｍ）光起電力太陽電池であって、
ａ．前面と後面とを有するシリコンウェハと、
ｂ．バスバーテープと、を備え、
ｃ．シリコンウェハは、前面上に、１本又はそれより多くの銀製グリッド線を備え、
ｄ．バスバーテープは、
ｉ．導電性金属箔と、
ｉｉ．非導電性の熱硬化性接着剤と、を含み、
ｉｉｉ．バスバーテープは半田付け可能であり、
ｅ．バスバーテープは、シリコンウェハの前面に、非導電性の熱硬化性接着剤を介して接着される。
ｎ）実施形態ｍ）に記載の光起電力太陽電池であって、バスバーテープは、シリコンウェハの前面に接着されるのに先立って、エンボス加工が施されていない。
ｏ）実施形態ｍ）又はｎ）に記載の光起電力太陽電池であって、バスバーテープは、前面上の１本又はそれより多くの銀製グリッド線に沿うことができるのに十分な可撓性を有する。
ｐ）実施形態ｍ）〜ｏ）のいずれか１つに記載の光起電力太陽電池であって、バスバーテープは、光起電力セルの前側上の、１本又はそれより多くの銀製グリッド線に電気的接続をすることが可能である。
ｑ）実施形態ｍ）〜ｐ）のいずれか１つに記載の光起電力太陽電池であって、金属箔は、銅、アルミニウム、スズ、鉄、ニッケル、銀、金、鉛、亜鉛、コバルト、クロム、チタン、及びそれらの混合物から選択される１種類又はそれより多くの金属を含む。
ｒ）実施形態ｍ）〜ｑ）のいずれか１つに記載の光起電力太陽電池であって、金属箔は銅を含む。
ｓ）実施形態ｍ）〜ｒ）のいずれか１つに記載の光起電力太陽電池であって、金属箔はスズでコーティングされている。
ｔ）実施形態ｍ）〜ｓ）のいずれか１つに記載の光起電力太陽電池であって、非導電性の接着剤は、粘着性がある。
ｕ）実施形態ｍ）〜ｔ）のいずれか１つに記載の光起電力太陽電池であって、非導電性の接着剤は、エポキシ樹脂、アクリル樹脂、ポリウレタン、ポリエステル、ポリイミド、ポリアミド、シアン酸エステル、フェノール樹脂、マレイミド樹脂、フェノキシ樹脂、及びそれらの混合物のうちの少なくとも１種類を含む。
ｖ）実施形態ｍ）〜ｕ）のいずれか１つに記載の光起電力太陽電池であって、バスバーテープは、少なくとも３週間の保管寿命を有する。
ｗ）実施形態ｍ）〜ｖ）のいずれか１つに記載の光起電力太陽電池であって、光起電力セルは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる。
ｘ）実施形態ｍ）〜ｗ）のいずれか１つに記載の光起電力太陽電池であって、光起電力セルは、電気的接続の抵抗増加が５％未満で、少なくとも４００サイクルの熱サイクル（−４０℃〜９０℃）と、２０００時間の湿熱（８５℃／８５％相対湿度テスト）と、に耐えることができる。
ｙ）２つ又はそれより多くの光起電力太陽電池を備える光起電力ソーラーモジュールであって、光起電力太陽電池の少なくともいくつかは、
ａ．前面と後面とを有するシリコンウェハと、
ｂ．少なくとも１本の前側のバスバーと、
ｃ．少なくとも１本の後側のバスバーテープと、を備え、
ｄ．シリコンウェハは、前面上に、１本又はそれより多くの銀製グリッド線を備え、
ｅ．前側のバスバーテープは、
ｉ．導電性金属箔と、
ｉｉ．非導電性の熱硬化性接着剤と、を含み、
ｆ．前側のバスバーテープは、シリコンウェハの前面に、非導電性の熱硬化性接着剤を介して接着され、
ｇ．少なくとも第１の光起電力太陽電池は、第２の光起電力太陽電池に、少なくとも１本のタブリボンを介して電気的に直列に接続されており、
ｈ．少なくとも１本のタブリボンの一端は、第１の光起電力太陽電池の少なくとも１本の前側のバスバーに半田付けされており、かつタブリボンの他端は、第２の光起電力太陽電池の少なくとも１本の後側のバスバーテープに半田付けされている。
ｚ）実施形態ｙ）に記載の光起電力ソーラーモジュールであって、バスバーテープは、シリコンウェハの前面に接着されるのに先立って、エンボス加工が施されていない。
ａａ）実施形態ｙ）又はｚ）に記載の光起電力ソーラーモジュールであって、バスバーテープは、前面上の１本又はそれより多くの銀製グリッド線に沿うことができるのに十分な可撓性を有する。
ｂｂ）実施形態ｙ）〜ａａ）のいずれか１つに記載の光起電力ソーラーモジュールであって、バスバーテープは、光起電力セルの前側上の、１本又はそれより多くの銀製グリッド線に電気的接続をすることが可能である。
ｃｃ）実施形態ｙ）〜ｂｂ）のいずれか１つに記載の光起電力ソーラーモジュールであって、金属箔は、銅、アルミニウム、スズ、鉄、ニッケル、銀、金、鉛、亜鉛、コバルト、クロム、チタン、及びそれらの混合物から選択される１種類又はそれより多くの金属を含む。
ｄｄ）実施形態ｙ）〜ｃｃ）のいずれか１つに記載の光起電力ソーラーモジュールであって、金属箔は銅を含む。
ｅｅ）実施形態ｙ）〜ｄｄ）のいずれか１つに記載の光起電力ソーラーモジュールであって、金属箔はスズでコーティングされている。
ｆｆ）実施形態ｙ）〜ｅｅ）のいずれか１つに記載の光起電力ソーラーモジュールであって、非導電性の接着剤は、粘着性がある。
ｇｇ）実施形態ｙ）〜ｆｆ）のいずれか１つに記載の光起電力ソーラーモジュールであって、非導電性の接着剤は、エポキシ樹脂、アクリル樹脂、ポリウレタン、ポリエステル、ポリイミド、ポリアミド、シアン酸エステル、フェノール樹脂、マレイミド樹脂、フェノキシ樹脂、及びそれらの混合物のうちの少なくとも１種類を含む。
ｈｈ）実施形態ｙ）〜ｇｇ）のいずれか１つに記載の光起電力ソーラーモジュールであって、バスバーテープは、少なくとも３週間の、室温での保管寿命を有する。
ｉｉ）実施形態ｙ）〜ｈｈ）のいずれか１つに記載の光起電力ソーラーモジュールであって、光起電力モジュールは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる。
ｊｊ）光起電力太陽電池を対象とする、先行するいずれか１つの実施形態に記載の光起電力ソーラーモジュールであって、光起電力モジュールは、電気的接続の抵抗増加が５％未満で、少なくとも４００サイクルの熱サイクル（−４０℃〜９０℃）と、２０００時間の湿熱（８５℃／８５％相対湿度テスト）と、に耐えることができる。
ｋｋ）光起電力太陽電池上に、半田付け可能な面を提供する方法であって、
ａ．光起電力太陽電池は、
ｉ．前面及び後面を有するシリコンウェハと、
ｉｉ．バスバーテープと、を備え、
ｉｉｉ．シリコンウェハが、前面上に、１本又はそれより多くの銀製グリッド線を備え、バスバーテープが、
１．導電性金属箔と、
２．非導電性の熱硬化性接着剤と、を含み、
３．バスバーテープは半田付け可能であり、
ｂ．その方法は、
ｃ．バスバーテープを、光起電力太陽電池のシリコンウェハの前面に貼り付ける工程と、
ｄ．バスバーテープ及び光起電力太陽電池を熱プレス処理する工程と、を含む。
ｌｌ）実施形態ｋｋ）に記載の方法であって、バスバーテープは、シリコンウェハの前面に接着されるのに先立って、エンボス加工が施されていない。
ｍｍ）実施形態ｋｋ）又はｌｌ）に記載の方法であって、バスバーテープは、前面上の１本又はそれより多くの銀製グリッド線に沿うことができるのに十分な可撓性を有する。
ｎｎ）光起電力ソーラーモジュールを対象とする先行する実施形態のいずれか１つに記載の光起電力ソーラーモジュールであって、バスバーテープは、光起電力セルの前側上の、１本又はそれより多くの銀製グリッド線に電気的接続をすることが可能である。
ｏｏ）実施形態ｋｋ）〜ｎｎ）のいずれか１つに記載の方法であって、金属箔は、銅、アルミニウム、スズ、鉄、ニッケル、銀、金、鉛、亜鉛、コバルト、クロム、チタン、及びそれらの混合物から選択される１種類又はそれより多くの金属を含む。
ｐｐ）実施形態ｋｋ）〜ｏｏ）のいずれか１つに記載の方法であって、金属箔は銅を含む。
ｑｑ）実施形態ｋｋ）〜ｐｐ）のいずれか１つに記載の方法であって、金属箔はスズでコーティングされている。
ｒｒ）実施形態ｋｋ）〜ｑｑ）のいずれか１つに記載の方法であって、非導電性の接着剤は粘着性がある。
ｓｓ）実施形態ｋｋ）〜ｒｒ）のいずれか１つに記載の方法であって、非導電性の接着剤は、エポキシ樹脂、アクリル樹脂、ポリウレタン、ポリエステル、ポリイミド、ポリアミド、シアン酸エステル、フェノール樹脂、マレイミド樹脂、フェノキシ樹脂、及びそれらの混合物のうちの少なくとも１種類を含む。
ｔｔ）実施形態ｋｋ）〜ｓｓ）のいずれか１つに記載の方法であって、バスバーテープは、少なくとも３週間の、室温での保管寿命を有する。
ｕｕ）実施形態ｋｋ）〜ｔｔ）のいずれか１つに記載の方法であって、
ａ．光起電力セルは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる。
ｖｖ）実施形態ｋｋ）〜ｕｕ）のいずれか１つに記載の方法であって、
ａ．光起電力セルは、電気的接続の抵抗増加が５％未満で、少なくとも４００サイクルの熱サイクル（−４０℃〜９０℃）と、２０００時間の湿熱（８５℃／８５％相対湿度テスト）と、に耐えることができる。
ｗｗ）実施形態ｋｋ）〜ｖｖ）のいずれか１つに記載の方法であって、熱プレスの工程の間の時間は、約２０秒間又はそれより短い。本発明の実施態様の一部を以下の項目［１］−［２０］に記載する。
［項目１］
導電性金属箔と、
非導電性の熱硬化性接着剤と、を含むバスバーテープであって、
前記テープは半田付け可能であり、
前記テープは、結晶性シリコン光起電力材料に接着することが可能である、バスバーテープ。
［項目２］
前記テープは、光起電力セルの前側の、１本又はそれより多くの前記銀製グリッド線に電気的接続をすることが可能である、項目１に記載のバスバーテープ。
［項目３］
前記金属箔は、銅、アルミニウム、スズ、鉄、ニッケル、銀、金、鉛、亜鉛、コバルト、クロム、チタン、及びそれらの混合物から選択される１種類又はそれより多くの金属を含む、項目１又は２に記載のバスバーテープ。
［項目４］
前記金属箔は銅を含む、項目１〜３のいずれか一項に記載のバスバーテープ。
［項目５］
前記金属箔は亜鉛を更に含む、項目１〜４のいずれか一項に記載のバスバーテープ。
［項目６］
前記非導電性の接着剤は、エポキシ樹脂、アクリル樹脂、ポリウレタン、ポリエステル、ポリイミド、ポリアミド、シアン酸エステル、フェノール樹脂、マレイミド樹脂、フェノキシ樹脂、及びそれらの混合物のうちの少なくとも１種類を含む、項目１〜５のいずれか一項に記載のバスバーテープ。
［項目７］
前記バスバーテープが光起電力セルの前側に貼り付けられた場合には、前記光起電力セルは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる、項目１〜６のいずれか一項に記載のバスバーテープ。
［項目８］
前記バスバーテープが光起電力セルの前側に貼り付けられた場合には、前記光起電力セルは、電気的接続の抵抗増加が５％未満で、少なくとも４００サイクルの熱サイクル（−４０℃〜９０℃）と、少なくとも２０００時間の湿熱（８５℃／８５％相対湿度テスト）と、に耐えることができる、項目１〜７のいずれか一項に記載のバスバーテープ。
［項目９］
前面及び後面を有するシリコンウェハと、
バスバーテープと、を備える光起電力太陽電池であって、
前記シリコンウェハは、前記前面上に、１本又はそれより多くの銀製グリッド線を備え、
前記バスバーテープは、
導電性金属箔と、
非導電性の熱硬化性接着剤と、を含み、
前記バスバーテープは半田付け可能であり、
前記バスバーテープは、前記シリコンウェハの前記前面に、前記非導電性の熱硬化性接着剤を介して接合される、光起電力太陽電池。
［項目１０］
前記バスバーテープは、光起電力セルの前側の、１本又はそれより多くの前記銀製グリッド線に電気的接続をすることが可能である、項目９に記載の光起電力太陽電池。
［項目１１］
前記金属箔は、銅、アルミニウム、スズ、鉄、ニッケル、銀、金、鉛、亜鉛、コバルト、クロム、チタン、及びそれらの混合物から選択される１種類又はそれより多くの金属を含む、項目９又は１０に記載の光起電力太陽電池。
［項目１２］
前記金属箔は銅を含む、項目９〜１１のいずれか一項に記載の光起電力太陽電池。
［項目１３］
前記光起電力セルは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる、項目９〜１２のいずれか一項に記載の光起電力太陽電池。
［項目１４］
２つ又はそれより多くの光起電力太陽電池を含む光起電力ソーラーモジュールであって、前記光起電力太陽電池の少なくともいくつかが、
前面及び後面を有するシリコンウェハと、
少なくとも１本の、前側のバスバーと、
少なくとも１本の、後側のバスバーテープと、を備え、
前記シリコンウェハは、前記前面上に、１本又はそれより多くの銀製グリッド線を備え、
前記前側のバスバーテープは、
導電性金属箔と、
非導電性の熱硬化性接着剤と、を含み、
前記前側のバスバーテープは、前記シリコンウェハの前記前面に、前記非導電性の熱硬化性接着剤を介して接合され、
少なくとも第１の光起電力太陽電池は、第２の光起電力太陽電池に、少なくとも１本のタブリボンを介して電気的に直列に接続されており、
前記少なくとも１本のタブリボンの一端は、前記第１の光起電力太陽電池の前記少なくとも１本の前側のバスバーに半田付けされており、かつ前記タブリボンの他端は、前記第２の光起電力太陽電池の前記少なくとも１本の後側のバスバーテープに半田付けされている、光起電力ソーラーモジュール。
［項目１５］
光起電力太陽電池上に、半田付け可能な面を提供する方法であって、
前記光起電力太陽電池が、
前面及び後面を有するシリコンウェハと、
バスバーテープと、を備え、
前記シリコンウェハが、前記前面上に、１本又はそれより多くの銀製グリッド線を備え、前記バスバーテープが、
導電性金属箔と、
非導電性の熱硬化性接着剤と、を含み、かつ
前記バスバーテープは半田付け可能である、方法であって、
前記バスバーテープを、前記光起電力太陽電池の前記シリコンウェハの前記前面に貼り付ける工程と、
前記バスバーテープ及び前記光起電力太陽電池を熱プレス処理する工程と、を含む方法。
［項目１６］
前記バスバーテープは、光起電力セルの前記前側の、１本又はそれより多くの前記銀製グリッド線に電気的接続をすることが可能である、項目１４に記載の光起電力ソーラーモジュール。
［項目１７］
前記金属箔は、銅、アルミニウム、スズ、鉄、ニッケル、銀、金、鉛、亜鉛、コバルト、クロム、チタン、及びそれらの混合物から選択される１種類又はそれより多くの金属を含む、項目１５に記載の方法。
［項目１８］
前記金属箔は銅を含む、項目１５又は１７に記載の方法。
［項目１９］
前記非導電性の接着剤は、エポキシ樹脂、アクリル樹脂、ポリウレタン、ポリエステル、ポリイミド、ポリアミド、シアン酸エステル、フェノール樹脂、マレイミド樹脂、フェノキシ樹脂、及びそれらの混合物のうちの少なくとも１種類を含む、項目１５、１７、及び１８のいずれか一項に記載の方法。
［項目２０］
前記光起電力セルは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる、項目１５、及び１７〜１９のいずれか一項に記載の方法。
【手続補正２】
【補正対象書類名】特許請求の範囲
【補正対象項目名】全文
【補正方法】変更
【補正の内容】
【特許請求の範囲】
【請求項１】
導電性金属箔と、
非導電性の熱硬化性接着剤と、を含むバスバーテープであって、
前記テープは半田付け可能であり、
前記テープは、結晶性シリコン光起電力材料に接着することが可能である、バスバーテープ。
【請求項２】
前記テープは、光起電力セルの前側の、１本又はそれより多くの前記銀製グリッド線に電気的接続をすることが可能である、請求項１に記載のバスバーテープ。
【請求項３】
前記金属箔は、銅、アルミニウム、スズ、鉄、ニッケル、銀、金、鉛、亜鉛、コバルト、クロム、チタン、及びそれらの混合物から選択される１種類又はそれより多くの金属を含む、請求項１又は２に記載のバスバーテープ。
【請求項４】
前記非導電性の熱硬化性接着剤は、エポキシ樹脂、アクリル樹脂、ポリウレタン、ポリエステル、ポリイミド、ポリアミド、シアン酸エステル、フェノール樹脂、マレイミド樹脂、フェノキシ樹脂、及びそれらの混合物のうちの少なくとも１種類を含む、請求項１〜３のいずれか一項に記載のバスバーテープ。
【請求項５】
前記バスバーテープが光起電力セルの前側に貼り付けられた場合には、前記光起電力セルは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる、請求項１〜４のいずれか一項に記載のバスバーテープ。
【請求項６】
２つ又はそれより多くの光起電力太陽電池を含む光起電力ソーラーモジュールであって、
前記光起電力太陽電池の少なくともいくつかが、
前面及び後面を有するシリコンウェハと、
少なくとも１本の、前側のバスバーと、
少なくとも１本の、後側のバスバーテープと、を備え、
前記シリコンウェハは、前記前面上に、１本又はそれより多くの銀製グリッド線を備え、
前記前側のバスバーテープは、
導電性金属箔と、
非導電性の熱硬化性接着剤と、を含み、
前記前側のバスバーテープは、前記シリコンウェハの前記前面に、前記非導電性の熱硬化性接着剤を介して接合され、
少なくとも第１の光起電力太陽電池は、第２の光起電力太陽電池に、少なくとも１本のタブリボンを介して電気的に直列に接続されており、
前記少なくとも１本のタブリボンの一端は、前記第１の光起電力太陽電池の前記少なくとも１本の前側のバスバーに半田付けされており、かつ前記タブリボンの他端は、前記第２の光起電力太陽電池の前記少なくとも１本の後側のバスバーテープに半田付けされている、光起電力ソーラーモジュール。
【請求項７】
光起電力太陽電池上に、半田付け可能な面を提供する方法であって、
前記光起電力太陽電池が、
前面及び後面を有するシリコンウェハと、
バスバーテープと、を備え、
前記シリコンウェハが、前記前面上に、１本又はそれより多くの銀製グリッド線を備え、
前記バスバーテープが、
導電性金属箔と、
非導電性の熱硬化性接着剤と、を含み、かつ
前記バスバーテープは半田付け可能である、方法であって、
前記バスバーテープを、前記光起電力太陽電池の前記シリコンウェハの前記前面に貼り付ける工程と、
前記バスバーテープ及び前記光起電力太陽電池を熱プレス処理する工程と、を含む方法。
【請求項８】
前記金属箔は、銅、アルミニウム、スズ、鉄、ニッケル、銀、金、鉛、亜鉛、コバルト、クロム、チタン、及びそれらの混合物から選択される１種類又はそれより多くの金属を含む、請求項７に記載の方法。
【請求項９】
前記非導電性の熱硬化性接着剤は、エポキシ樹脂、アクリル樹脂、ポリウレタン、ポリエステル、ポリイミド、ポリアミド、シアン酸エステル、フェノール樹脂、マレイミド樹脂、フェノキシ樹脂、及びそれらの混合物のうちの少なくとも１種類を含む、請求項７又は８に記載の方法。
【請求項１０】
前記光起電力セルは、電気的接続の抵抗増加が５％未満で、少なくとも２００サイクルの熱サイクル（−４０℃〜９０℃）と、少なくとも１０００時間の湿熱（８５℃／８５％相対湿度テスト）と、に耐えることができる、請求項７〜９のいずれか一項に記載の方法。